(57)【要約】【課題】打点がトウ側上位付近やヒール側下位付近又はトウ側下位付近やヒール側上位付近にずれた場合でも、飛距離の低下の度合いを小さくすることができるゴルフクラブヘッドを提供する。【解決手段】ゴルフクラブヘッド１は、フェース部２、ソール部３、バック部４、クラウン部５、トウ側サイド部６、ヒール側サイド部７及びホゼル部８を有した中空殻体構造である。トウ側サイド部６の後部上位からバック部４を経てヒール側サイド部７の後部下位にかけて溝１０が設けられ、これと逆傾斜にて溝１０Ａが設けられている。溝１０，１０Ａのいずれかに錘体１１が装着されている。錘体１１を着脱可能に固定するために、錘体１１の長手方向の両端に長孔１１ａが設けられており、ボルト１２を該長孔１１ａに通し、雌ねじ穴１３にねじ込む。【選択図】図１
2012139450.tif 000002
【特許請求の範囲】
【請求項１】
中空の殻体構造のゴルフクラブヘッドであって、フェース部、ソール部、クラウン部、バック部、トウ側サイド部及びヒール側サイド部を有するゴルフクラブヘッドにおいて、
少なくともバック部に、トウ側の上位部からヒール側の下位部にかけて延在する第１の錘体取付部と、トウ側の下位部からヒール側の上位部にかけて延在する第２の錘体取付部とが設けられていることを特徴とするゴルフクラブヘッド。
【請求項２】
請求項１において、少なくともバック部に、トウ側からヒール側にかけて略水平に延在する第３の錘体取付部が設けられていることを特徴とするゴルフクラブヘッド。
【請求項３】
請求項１又は２において、各錘体取付部は、前記トウ側サイド部からヒール側サイド部にまで延在していることを特徴とするゴルフクラブヘッド。
【請求項４】
請求項１ないし３のいずれか１項において、前記各錘体取付部は、ゴルフクラブヘッドに設けられた溝であることを特徴とするゴルフクラブヘッド。
【請求項５】
請求項１ないし４のいずれか１項において、前記第錘体取付部の少なくとも一部に錘体が着脱可能に取り付けられていることを特徴とするゴルフクラブヘッド。
【請求項６】
請求項５において、前記錘体は屈曲可能であることを特徴とするゴルフクラブヘッド。
【発明の詳細な説明】
【技術分野】
【０００１】
本発明は、ウッド型又はそれに近似した形状の中空ゴルフクラブヘッドに係り、特に打点のずれを考慮したゴルフクラブヘッドに関するものである。
【背景技術】
【０００２】
ドライバーやフェアウェーウッドなどのウッド型ゴルフクラブヘッドとして、中空の殻体構造の金属製のものが広く用いられている。一般に、中空のウッド型のゴルフクラブヘッドは、ボールをヒットするためのフェース部と、ゴルフクラブヘッドの上面部を構成するクラウン部と、ゴルフクラブヘッドの底面部を構成するソール部と、ゴルフクラブヘッドのトウ側及びヒール側の側面部を構成するサイド部と、背面部を構成するバック部と、シャフト装着用のホゼル部とを有している。このホゼル部にシャフトが挿入され、接着剤等によって固定される。なお、最近では、ユーティリティクラブと称されるゴルフクラブも多く市販されており、このユーティリティゴルフクラブの１種として、上記ウッド型ゴルフクラブヘッドに類似した（即ち、フェース部、ソール部、サイド部、バック部及びクラウン部並びにホゼル部を有した）ヘッドを有するゴルフクラブも各種市販されている。
【０００３】
この中空ゴルフクラブヘッドを構成する金属としては、アルミニウム合金、ステンレスやチタン合金が用いられているが、近年は特にチタン合金が広く用いられている（例えば、特開２００３−８８６０１号公報）。
【０００４】
一般に、中空ゴルフクラブヘッドの体積を大きくすることにより、スイートスポットを拡大することが可能となる。体積を大きくすると、それに伴ってゴルフクラブヘッドの重量が増加しがちとなる。そこで、この重量増加を防ぐために、ゴルフクラブヘッドの殻体部分の肉厚を小さくすることが行われている。
【０００５】
特開２００７−９７６４７には、一般ゴルファーの打点分布を考慮して、フェース部のトウ側上位部及びヒール側上位部の肉厚を大きくすることが記載されている。
【先行技術文献】
【特許文献】
【０００６】
【特許文献１】特開２００３−８８６０１号公報
【特許文献２】特開２００７−９７６４７号公報
【発明の概要】
【発明が解決しようとする課題】
【０００７】
ゴルファーの打点（ショットしたときにボールが当たるフェース面の位置）は、フェース面のセンターだけではなく、該センターからトウ側の上位付近や、ヒール側の下位付近にも分布することがある。また、ゴルファーによっては、打点がフェース面のセンターからトウ側の下位付近や、ヒール側の上位付近にも分布することがある。
【０００８】
本発明は、このように打点がトウ側上位付近又はヒール側下位付近にずれた場合や、トウ側下位付近又はヒール側上位付近にずれた場合でも、飛距離の低下の度合いを小さくすることができるゴルフクラブヘッドを提供することを目的とする。
【課題を解決するための手段】
【０００９】
本発明（請求項１）のゴルフクラブヘッドは、中空の殻体構造のゴルフクラブヘッドであって、フェース部、ソール部、クラウン部、バック部、トウ側サイド部及びヒール側サイド部を有するゴルフクラブヘッドにおいて、少なくともバック部に、トウ側の上位部からヒール側の下位部にかけて延在する第１の錘体取付部と、トウ側の下位部からヒール側の上位部にかけて延在する第２の錘体取付部とが設けられていることを特徴とするものである。
【００１０】
請求項２のゴルフクラブヘッドは、請求項１において、少なくともバック部に、トウ側からヒール側にかけて略水平に延在する第３の錘体取付部が設けられていることを特徴とするものである。
【００１１】
請求項３のゴルフクラブヘッドは、請求項１又は２において、各錘体取付部は、前記トウ側サイド部からヒール側サイド部にまで延在していることを特徴とするものである。
【００１２】
請求項４のゴルフクラブヘッドは、請求項１ないし３のいずれか１項において、前記錘体取付部は、ゴルフクラブヘッドに設けられた溝であることを特徴とするものである。
【００１３】
請求項５のゴルフクラブヘッドは、請求項１ないし４のいずれか１項において、前記錘体取付部の少なくとも一部に錘体が着脱可能に取り付けられていることを特徴とするものである。
【００１４】
請求項６のゴルフクラブヘッドは、請求項５において、前記錘体は屈曲可能であることを特徴とするものである。
【発明の効果】
【００１５】
本発明のゴルフクラブヘッドは、少なくともバック部にトウ側の上位部からヒール側の下位部にかけて延在する第１の錘体取付部と、トウ側の下位部からヒール側の上位部にかけて延在する第２の錘体取付部が設けられている。打点がフェース面のトウ側の上位部又はヒール側の下位部になりがちなゴルファーの場合は、第１の錘体取付部に錘体を取り付ける。また、打点がフェース面のトウ側下位部又はヒール側上位部になりがちなゴルファーの場合は、第２の錘体取付部に錘体を取り付ける。このようにゴルファーの打点分布傾向に合わせて錘体を設けることにより、打点がずれた場合でも、かかる錘体が無いゴルフクラブヘッドに比べて慣性モーメントが大きくなり、飛距離の低下の度合いが小さくなる。また、この錘体を設けることにより、ボールを打ったときの打球音を改変する効果も期待できる。
【００１６】
略水平な第３の錘体取付部を設けることにより、ゴルファーの打点が水平方向にトウ側又はヒール側にずれる場合にも対処できる。
【００１７】
なお、錘体取付部を溝とし、錘体を溝内に配置することにより、外力を受けてゴルフクラブヘッドから脱落することが防止される。
【００１８】
錘体を着脱可能とした場合には、錘体を重量等の異なるものに変更することができる。また、ゴルファーの打点分布傾向に応じて、錘体を第１の錘体取付部及び第２の錘体取付部のいずれにも取り付けることができる。
【００１９】
錘体を屈曲可能とした場合には、ゴルフクラブヘッドの外面に密着させるようにして錘体を容易に取り付けることができる。
【図面の簡単な説明】
【００２０】
【図１】（ａ）図は、実施の形態に係るゴルフクラブヘッドの斜視図、（ｂ）図は（ａ）図のＩｂ−Ｉｂ線に沿う断面図である。
【図２】（ａ）図は図１のIIａ−IIａ線に沿う断面斜視図、（ｂ）図は図１のIIｂ−IIｂ線に沿う断面斜視図である。
【図３】図１のゴルフクラブヘッドのソール部側からの斜視図である。
【図４】図１のゴルフクラブヘッドの背面図である。
【図５】図４のＶ−Ｖ線に沿う断面図である。
【図６】別の実施の形態に係るゴルフクラブヘッドの背面図である。
【図７】別の実施の形態に係るゴルフクラブヘッドの背面図である。
【図８】異なる実施の形態に係るゴルフクラブヘッドの一部の断面図である。
【図９】さらに別の実施の形態に係るゴルフクラブヘッドの背面図である。
【発明を実施するための形態】
【００２１】
以下、第１図〜第５図を参照して第１の実施の形態に係るゴルフクラブヘッド１について説明する。
【００２２】
このゴルフクラブヘッド１は、フェース部２、ソール部３、バック部４、クラウン部５、トウ側サイド部６、ヒール側サイド部７及びホゼル部８を有した中空殻体構造のウッド型ゴルフクラブヘッド（この実施の形態ではドライバー）である。
【００２３】
フェース部２はボールをヒットする面であり、図示はしないが溝（スコアライン）が設けられている。ソール部３はゴルフクラブヘッドの底面部を構成し、クラウン部５はゴルフクラブヘッドの上面部を構成している。
【００２４】
バック部４はゴルフクラブヘッドの背面部を構成している。トウ側サイド部６及びヒール側サイド部７は、それぞれバック部４とフェース部２とを連結している。また、バック部４、トウ側サイド部６及びヒール側サイド部７は、ソール部３とクラウン部５とを連結している。
【００２５】
トウ側サイド部６の後部かつ上部からバック部４を経てヒール側サイド部７の後部かつ低部にかけて、第１の錘体取付部として第１の溝１０が設けられている。溝１０は、ヒール側ほど低位となるように斜めに延在している。
【００２６】
また、トウ側サイド部６の後部かつ下部からバック部４を経てヒール側サイド部７の後部かつ上部にかけて、第２の錘体取付部として第２の溝１０Ａが設けられている。溝１０Ａはヒール側ほど高位となるように斜めに延在している。
【００２７】
このゴルフクラブヘッドは、これらの溝１０，１０Ａのいずれにも取り付け可能な錘体１１を備えている。この実施の形態では、第１の溝１０に錘体１１が装着されているが、第６図のように第２の溝１０Ａに錘体１１が装着されてもよい。
【００２８】
第３図の通り、ホゼル部８にシャフト２０が差し込まれ、接着剤により該シャフト２０が固着される。ホゼル部の上端に連なるようにフェルール２１が装着されている。
【００２９】
なお、この実施の形態では、トウ側サイド部６とバック部４との境界、及びヒール側サイド部７とバック部４との境界は、それぞれ、平面視において接線が飛球線方向に対し４５°となる地点として定義される。
【００３０】
この実施の形態では、ゴルフクラブヘッド１は、錘体１１を除いて、金属（この実施の形態では、チタン又はチタン合金）にて構成されているが、クラウン部５の少なくとも一部はＣＦＲＰ（炭素繊維強化合成樹脂）製とされてもよい。錘体１１としては、比重が８以上、特に１０〜１６程度のものが好適であり、具体的には、銅、鉛、タングステン、それらの合金が例示される。また、錘体１１としては、銅、タングステンなど比重が８〜１５程度の高比重金属の粉末を含有する合成樹脂（例えばナイロン、ポリエステル樹脂、ウレタン系エラストマーなどのエラストマー等）であってもよい。
【００３１】
錘体１１は、ゴルフクラブヘッド１の背面のカーブに倣う形状となるように屈曲自在であることが好ましい。銅や鉛などは屈曲自在である。これらの銅、鉛などの表面を樹脂で薄く覆ってもよい。
【００３２】
この実施の形態では、錘体１１は、溝１０の全長の約半分の長さのものを２本用いているが、溝１０の全長と同じ長さの一本物であってもよく、また、より短いものを３本以上用いてもよい。
【００３３】
錘体１１を着脱可能に固定するために、錘体１１の長手方向の両端に長孔１１ａが設けられており、第５図の通り、ボルト１２を該長孔１１ａに通し、溝１０又は１０Ａの奥面部に設けられた雌ねじ穴１３にねじ込むようにしている。なお、長孔１１ａは、錘体１１の長手方向に延在している。長孔１１ａとしたのは、錘体１１の長さ寸法の誤差を吸収するためである。錘体１１の両端部以外の外面側には、凸部１１ｂが設けられており、錘体１１を溝１０に装着した場合に、該凸部１１ｂがヘッド１の外面から突出する。ただし、錘体１１はヘッド１の外面と面一であってもよく、溝１０内に引っ込んでもよい。
【００３４】
この実施の形態では、溝１０はトウ側サイド部６の後部かつ上部から、ヒール側サイド部７の後部かつ下部にまで延在している。溝１０のトウ側サイド部６側の末端（一端）からフェース面までの水平方向距離は、５０〜８０ｍｍ、特に６０〜７０ｍｍ程度が好適であり、また、溝１０の該一端とクラウン部５の最頂部との高低差は１５〜５０ｍｍ、特に２０〜４０ｍｍ程度が好適である。溝１０のヒール側サイド部７側の末端（他端）からフェース面までの水平方向距離は、４５〜７５ｍｍ、特に５０〜７０ｍｍ程度が好適である。溝１０の該他端とソール部３の最底部との高低差は５〜１０ｍｍ程度が好適である。この実施の形態では、溝１０のヒール側サイド部の末端（他端）はヒール側サイド部７に位置しているがソール部３に位置していてもよい。
【００３５】
この実施の形態では、溝１０Ａはトウ側サイド部６の後部かつ下部から、ヒール側サイド部７の後部かつ上部にまで延在している。溝１０Ａのトウ側サイド部６側の末端（一端）からフェース面までの水平方向距離は、５０〜８０ｍｍ、特に６０〜７０ｍｍ程度が好適であり、また、溝１０Ａの該一端とソール部３の最底部との高低差は５〜１０ｍｍ程度が好適である。溝１０Ａのヒール側サイド部７側の末端（他端）からフェース面までの水平方向距離は、４５〜７５ｍｍ、特に５０〜７０ｍｍ程度が好適である。溝１０Ａの該他端とクラウン部５の最頂部との高低差は１５〜５０ｍｍ、特に２０〜４０ｍｍ程度が好適である。この実施の形態では、溝１０Ａのトウ側サイド部の末端（一端）はトウ側サイド部６に位置しているがソール部３に位置していてもよい。
溝１０と溝１０Ａとは、バック部４において交差している。
【００３６】
錘体１１の幅は、５〜１２ｍｍ、特に６〜１０ｍｍ程度が好適であり、溝１０，１０Ａの深さは１〜２ｍｍ程度が好適である。
【００３７】
このように構成されたゴルフクラブヘッド１にあっては、溝１０，１０Ａのいずれにも錘体１１を取り付けることができる。第１図〜第５図のように錘体１１を第１の溝１０に設置した場合、高比重の錘体１１がトウ側サイド部６の後部かつ上部からバック部４を経て、ヒール側サイド部７の後部かつ下部にかけて配置されているので、打点がフェース部２のトウ側上位部（第１図（ａ）の領域２ａ）又はヒール側下位部（第１図（ａ）の領域２ｂ）になった場合でも、かかる錘体１１が無いゴルフクラブヘッドに比べて慣性モーメントが大きくなり、飛距離の低下の度合いが小さくなる。
【００３８】
また、第６図のように、錘体１１を第２の溝１０Ａに設置した場合には、高比重の錘体１１がトウ側サイド部６の後部かつ下部からバック部４を経て、ヒール側サイド部７の後部かつ上部にかけて配置されているので、打点がフェース部２のトウ側下位部（第１図（ａ）の領域２ｃ）又はヒール側上位部（第１図（ａ）の領域２ｄ）になった場合でも、かかる錘体１１が無いゴルフクラブヘッドに比べて慣性モーメントが大きくなり、飛距離の低下の度合いが小さくなる。
【００３９】
なお、この効果をさらに高めるために、フェース部２のトウ側の上位側領域２ａ及び下位側領域２ｃと、ヒール側の下位側領域２ｂ及び上位側領域２ｄ（第１図（ａ）参照）とをフェース部２のその他の部分よりも肉薄とし、反発性を高くしてもよい。
【００４０】
この実施の形態では、錘体１１を溝１０又は１０Ａ内に配置しているので、錘体１１の取り付けがしっかりしている。この錘体１１がボルト留めされ、着脱可能となっているので、比重や幅、厚みの異なる錘体に容易に交換することができる。また、錘体１１を第１の溝１０及び第２の溝１０Ａのいずれにも取り付けることができる。
【００４１】
本発明では、双方の溝１０，１０Ａに錘体１１を取り付けてもよい。また、打点がトウ側上位部及びヒール側上位部に分布するゴルファーの場合には、溝１０のトウ側と溝１０Ａのヒール側とにそれぞれ錘体１１を設けてもよい。打点がトウ側下位及びヒール側下位に分布するゴルファーの場合、溝１０Ａのトウ側と溝１０のヒール側に錘体１１を設けてもよい。
【００４２】
なお、上記のように錘体１１を設けることにより、打音を改変することも可能である。
【００４３】
本発明では、第７図のゴルフクラブヘッド１’のように、バック部４を略水平に横断して略水平にトウ側からヒール側まで延在する第３の錘体取付部としての第３の溝１０Ｂを設けてもよい。この溝１０Ｂに錘体を設置することにより、打点がフェースセンターから略水平にトウ側又はヒール側にずれるゴルファーにも対処できる。この場合、フェース部の前記領域２ａ，２ｃ同士の間及び前記領域２ｄ，２ｂ同士の間も薄肉とするのが好ましい。各溝１０，１０Ａ，１０Ｂのトウ側端部及びヒール側端部は、背面図において上下に揃うことが好ましい。
【００４４】
本実施の形態では、錘体１１をゴルフクラブヘッドの外面側に設けているが、第８図の錘体１１Ａのように、錘体１１Ａを金属とし、溶解温度の差を利用して、鋳ぐるみなどによって一体的に設けるようにしてもよい。錘体１１Ａは、その一部がヘッドの外面に突出している。
【００４５】
錘体はヘッドの内面に取り付けられてもよい。ゴルフクラブヘッドを、例えばソール部とクラウン部とをフェース部とは別に成形しておき、これらを溶接等により結合することにより製造する場合には、この溶接等の結合前に、錘体を取り付けておくようにしてもよい。
【００４６】
本発明では、第９図のゴルフクラブヘッド１Ａのように、錘体１１Ｂをソール部３からクラウン部５まで延在させてもよい。図示は省略するが、第１図〜第６図のゴルフクラブヘッドにおいて、錘体１１の一端側を第９図のようにクラウン部に延在させてもよく、錘体１１の他端側を第９図のようにソール部３に延在させてもよい。
【００４７】
錘体のうち、第９図のようにソール部３又はクラウン部５に配置される部分は、ソール面やクラウン面から突出しないことが好ましい。バック部では、錘体はバック部の外面から突出していてもよく、面一状であってもよく、引っ込んでいてもよい。
【００４８】
ソール部３における錘体の延在長さは８０ｍｍ以下、特に７０ｍｍ以下であることが好ましい。クラウン部５における錘体の延在長さは８０ｍｍ以下、特に７０ｍｍ以下であることが好ましい。
【００４９】
ゴルフクラブヘッドの底面図において、ソール部３の錘体は、飛球線方向と斜交するように斜めに延在することが好ましい。この斜め延在方向と飛球線方向との交差角度は１０〜４０°特に１５〜３０°程度であることが好ましい。
【００５０】
ゴルフクラブヘッドの平面図において、クラウン部５の錘体は、飛球線方向と斜交するように斜めに延在することが好ましい。この斜め延在方向と飛球線方向との交差角度は１０〜４０°特に１５〜３０°程度であることが好ましい。
【００５１】
第９図では、錘体はゴルフクラブヘッドの外面に露呈しているが、錘体はゴルフクラブヘッドの内面に設けられてもよい。
【００５２】
本発明は、ウッド型ゴルフクラブヘッドだけでなく、ユーティリティ型ゴルフクラブヘッドにも適用可能である。
【符号の説明】
【００５３】
１，１’  ゴルフクラブヘッド
２  フェース部
３  ソール部
４  バック部
５  クラウン部
６  トウ側サイド部
７  ヒール側サイド部
８  ホゼル部
１０  第１の溝（第１の錘体取付部）
１０Ａ  第２の溝（第２の錘体取付部）
１０Ｂ  第３の溝（第３の錘体取付部）
１１  錘体
１２  ボルト
２０  シャフト
２１  フェルール
【図１】
2012139450.tif 000003
【図２】
2012139450.tif 000004
【図３】
2012139450.tif 000005
【図４】
2012139450.tif 000006
【図５】
2012139450.tif 000007
【図６】
2012139450.tif 000008
【図７】
2012139450.tif 000009
【図８】
2012139450.tif 000010
【図９】
2012139450.tif 000011